(57)【要約】【課題】簡単な構造で以て庫内への冷気の循環供給を担保する。【解決手段】冷蔵室１１内には、壁面にねじ止めされた棚柱４０に装着された棚受金４５で受けられた形態により棚網３０が複数段に亘って配設される一方、天井部には冷却器２６と庫内ファン２７とを備えた冷却器室２２が設けられ、冷却器室２２の手前側に設けられた吸込口２３から吸い込まれた庫内空気が冷却器２６を通過する間に生成された冷気が、奥側に設けられた吹出口２４から奥壁１１Ｂに沿って吹き出されるように循環流通することで、棚網３０に載せられた被冷却物が冷却される。奥壁１１Ｂの上部位置には、被冷却物Ｘを当てて吹出口２４を塞ぐことを規制し、かつ吹出口２４から吹き出された冷気の上下方向の流通路を確保するダクト５０が、棚柱４０Ａを固定するねじ４２で共締めされて取り付けられる。【選択図】図３
2012225526.tif 000002
【特許請求の範囲】
【請求項１】
断熱扉を前面開口部に開閉可能に装着した断熱性の貯蔵庫本体内には、庫内の側面にねじ止めされて取り付けられた棚柱に装着された棚受金で受けられた形態により棚網が複数段に亘って配設される一方、前記貯蔵庫本体の天井部には冷却器と庫内ファンとを備えた冷却器室が設けられて、同冷却器室の両端部には通気口が設けられ、
前記冷却器で熱交換されて生成された冷気が一方の前記通気口から前記庫内の一側面に沿うように吹き出されたのち他方の前記通気口から吸い込まれ、または前記他方の通気口から庫内に吹き出された冷気が、前記庫内の一側面に沿うように立ち上って前記一方の通気口から吸い込まれるように循環供給されることにより、前記棚網に載せられた被冷却物が冷却される冷却貯蔵庫において、
前記庫内の一側面の上部位置には、前記被冷却物を当てて同被冷却物が前記一方の通気口を塞ぐことを規制し、かつ前記一方の通気口から吹き出された冷気または前記一方の通気口に吸い込まれる庫内空気の上下方向の流通路を確保するダクトが、前記棚柱を固定するねじで共締めされることにより取り付けられていることを特徴とする冷却貯蔵庫。
【請求項２】
前記ダクトは、前記庫内の一側面に間隔を開けて設けられた一対の前記棚柱に亘って取り付けられていることを特徴とする請求項１記載の冷却貯蔵庫。
【請求項３】
前記ダクトは、前記被冷却物を当てる正面板の左右両側縁に側板が奥側に向けて曲げ形成され、かつ両側板の奥縁に、前記各棚柱に当てられる取付板が互いに向き合うように曲げ形成された形状になり、前記各取付板には、前記棚柱に設けられたねじの挿通孔と整合する取付孔が形成されているとともに、前記正面板における前記取付孔の直前に対応する位置には、前記ねじのねじ込み操作を行う工具を挿通可能な操作用孔が開口されていることを特徴とする請求項２記載の冷却貯蔵庫。
【発明の詳細な説明】
【技術分野】
【０００１】
本発明は、庫内に冷気を循環供給して冷却する形式の冷却貯蔵庫に関する。
【背景技術】
【０００２】
冷却貯蔵庫の一例として、下記特許文献１に記載されたものが知れられている。このものは、断熱扉を前面開口部に開閉可能に装着した断熱性の冷蔵庫本体内に、庫内の側面にねじ止めされて取り付けられた棚柱に装着された棚受金で受けられた形態により棚網が複数段に亘って配設される一方、冷蔵庫本体の天井部に冷却器と庫内ファンとを備えた冷却器室が設けられて、同冷却器室の奥側に吹出口が、手前側に吸込口が設けられた構造になり、吸込口から吸い込まれた庫内空気が冷却器を通過する間に生成された冷気が、吹出口から庫内の奥面に沿うように吹き出されて庫内に循環供給されることで、棚網に載せられた被冷却物が冷却保存されるようになっている。  
ここでこの種の冷却貯蔵庫において、特に最上段の棚網上に載せた被冷却物を奥まで詰め込むと、同被冷却物で冷気の吹出口が塞がれるために冷気の循環供給が阻害され、被冷却物を冷却することに支障が出る。
【先行技術文献】
【特許文献】
【０００３】
【特許文献１】特開２００５−３０６３４号公報
【発明の概要】
【発明が解決しようとする課題】
【０００４】
そのため従来、冷却器室の外底面における正面から目視できる位置に、被冷却物の詰め込みを注意する注意シールを貼ったり、棚網の奥縁にストッパを設ける手段が講じられているが、前者の場合は使用者に気遣いを強いることになり、後者の場合は、例えば被冷却物が上下二段に積まれるような場合には、下側の被冷却物の押し込みは規制できる一方で、上側の被冷却物は押し込みが許容されてしまって相変わらず吹出口を塞ぐおそれがあり、新たな対策が切望されていた。    本発明は上記のような事情に基づいて完成されたものであって、その目的は、簡単な構造で以て庫内への冷気の循環供給を担保できるようにするところにある。
【課題を解決するための手段】
【０００５】
本発明は、断熱扉を前面開口部に開閉可能に装着した断熱性の貯蔵庫本体内には、庫内の側面にねじ止めされて取り付けられた棚柱に装着された棚受金で受けられた形態により棚網が複数段に亘って配設される一方、前記貯蔵庫本体の天井部には冷却器と庫内ファンとを備えた冷却器室が設けられて、同冷却器室の両端部には通気口が設けられ、前記冷却器で熱交換されて生成された冷気が一方の前記通気口から前記庫内の一側面に沿うように吹き出されたのち他方の前記通気口から吸い込まれ、または前記他方の通気口から庫内に吹き出された冷気が、前記庫内の一側面に沿うように立ち上って前記一方の通気口から吸い込まれるように循環供給されることにより、前記棚網に載せられた被冷却物が冷却される冷却貯蔵庫において、前記庫内の一側面の上部位置には、前記被冷却物を当てて同被冷却物が前記一方の通気口を塞ぐことを規制し、かつ前記一方の通気口から吹き出された冷気または前記一方の通気口に吸い込まれる庫内空気の上下方向の流通路を確保するダクトが、前記棚柱を固定するねじで共締めされることにより取り付けられている構成としたところに特徴を有する。
【０００６】
最上段の棚網に載せられた被冷却物が庫内の一側面に向けて押し込まれた場合に、ダクトに当たって押し込みが規制されて一方の通気口が塞がれることが回避され、同一方の通気口から吹き出された冷気がダクト内を流通し、または庫内空気がダクト内を通って一方の通気口から吸い込まれつつ、冷気が庫内に循環流通される。被冷却物の収容形態にさほど気を遣わなくても冷気のスムーズな循環流通が担保でき、良好に冷却することができる。  
ダクトは棚柱を固定するねじで共締めして固定するようにしたから、別途をねじ孔を設ける必要が無く、既設のものに簡単に追加して取り付けることができる。
【０００７】
また、以下のような構成としてもよい。  
（１）前記ダクトは、前記庫内の一側面に間隔を開けて設けられた一対の前記棚柱に亘って取り付けられている。ダクトを一対の棚柱に亘って安定して取り付けることができる。  
（２）前記ダクトは、前記被冷却物を当てる正面板の左右両側縁に側板が奥側に向けて曲げ形成され、かつ両側板の奥縁に、前記各棚柱に当てられる取付板が互いに向き合うように曲げ形成された形状になり、前記各取付板には、前記棚柱に設けられたねじの挿通孔と整合する取付孔が形成されているとともに、前記正面板における前記取付孔の直前に対応する位置には、前記ねじのねじ込み操作を行う工具を挿通可能な操作用孔が開口されている。  
ダクトを取り付ける場合は、取付孔を挿通孔に整合させつつ両取付板を対応する棚柱に重ね、挿通孔と取付孔に通したねじを正面板の操作用孔に通したドライバ等の工具でねじ込むことで固定される。ダクト自体が、一枚の金属板を曲げ加工と孔開け加工するだけで形成できるから、安価に対応することができる。
【発明の効果】
【０００８】
本発明によれば、簡単な構造で以て庫内への冷気の循環供給を担保することができる。
【図面の簡単な説明】
【０００９】
【図１】本発明の実施形態１に係る冷蔵庫の縦断面図
【図２】ダクトを取り付ける前の冷蔵室の奥壁上部を示す部分正面図
【図３】ダクトを取り付けた後の冷蔵室の奥壁上部を示す部分正面図
【図４】ダクトの斜視図
【図５】実施形態２に係るダクトの分解斜視図
【図６】その組み付け後の斜視図
【発明を実施するための形態】
【００１０】
＜実施形態１＞
本発明の実施形態１を図１ないし図４によって説明する。本実施形態では業務用の縦型冷蔵庫を例示している。冷蔵庫は、図１に示すように、前面開口のやや縦長の断熱箱体からなる冷蔵庫本体１０を有し、内部が冷蔵室１１とされて、底面の四隅に設けられた脚１２で支持されている。冷蔵室１１の前面開口部１１Ａには十字形に組まれた断熱性の前面枠１３が装着され、合計４個の出入口１４が形成されており、それらの出入口１４には、観音開き式の断熱扉１５が上下二段に亘って装着されている。  
冷蔵庫本体１０の上面には機械室１６が設けられ、同機械室１６内には、圧縮機１８、空冷式の凝縮器１９等からなる冷凍装置１７等が装備されている。
【００１１】
冷蔵室１１の天井部の奥側寄りの位置で、かつ幅方向の中央部には、ドレンパンを兼ねたダクトパネル２１が張られることで冷却器室２２が区画形成されており、その底面の幅方向の中央部における手前側の位置には吸込口２３が、奥側には吹出口２４がそれぞれ形成されている。冷却器室２２内には冷却器２６が収容され、上記の機械室１６内に装備された冷凍装置１７と冷媒配管で接続されて冷凍サイクルが構成されているとともに、吸込口２３に臨んで庫内ファン２７が装着されている。  
そして、冷凍装置１７を運転しつつ庫内ファン２７を駆動すると、詳しくは後記するように、冷蔵室１１の庫内空気が吸込口２３から冷却器室２２内に吸引され、その空気が冷却器２６を流通する間に熱交換によって冷気が生成され、その冷気が吹出口２４から冷蔵室１１の奥壁１１Ｂに沿うようにして吹き出され、冷蔵室１１内に冷気が循環供給されるようになっている。
【００１２】
冷蔵室１１内には、被冷却物を載せる棚網３０が、左右に二枚並んだ形態で複数段に亘って装着されるようになっている。棚網３０は例えば、図３にも示すように、方形に組まれた本体枠３１内に、受け棒３２が格子状に配された構造であり、奥縁側にはストッパ部３３が立ち上がり形成されている。  
棚網３０を冷蔵室１１内に装着する手段として、冷蔵室１１の左右に分けられた各領域において、４本ずつの棚柱４０が立てられている。詳細には、左右の各領域について、奥壁１１Ｂの左右両端部と、左または右側壁１１Ｃにおける前面開口部１１Ａに寄った位置と、前面枠１３の縦枠の裏面における左端部または右端部である。なお、前面枠１３に設けられた棚柱については図示が省略されている。
【００１３】
棚柱４０は扁平な略チャンネル状に形成されており、同棚柱４０には、棚受金４５を装着するための装着孔４１が一定ピッチで列設されている。棚柱４０には、複数個の皿ねじ等のねじ４２の挿通孔４３が所定の間隔を開けて形成されている（図２参照）。この挿通孔４３は、ねじ４２の頭部が収容可能なように、表面側に向けて拡径されたテーパ状となっている。各棚柱４０は、対応する壁面の所定箇所に縦向きの姿勢で当てられ、挿通孔４３にねじ４２を通し、壁面側に対応して設けられたねじ孔（図示せず）に螺合して締め付けることによって固定されるようになっている。  
一方、棚受金４５は、水平な載置板４６の先端から支え板４７が斜め下方に折り返された形状であり、かつ載置板４６には掛止片４８が垂直に切り起こし形成されている。棚受金４５は、載置板４６と支え板４７とにそれぞれ設けられた取付爪（図示せず）を、棚柱４０に列設された装着孔４１の上下２個に亘って嵌めることで装着されるようになっている。
棚網３０は、４箇所の棚柱４０における同一高さに装着された棚受金４５に対し、本体枠３１の四隅付近の所定位置が掛止片４８に掛止されつつ載せられることで、ずれ止めされて装着されるようになっている。この実施形態では、左右２枚並んだ棚網３０が、４段に亘って適宜間隔を開けて装着され、各棚網３０に被冷却物が載置されるようになっている。
【００１４】
さて、この実施形態では、冷蔵室１１の奥壁１１Ｂにおける吹出口２４の直下位置に、ダクト５０が装着されるようになっている。  
このダクト５０は、ステンレス鋼板等の金属板をプレス加工することによって形成されており、図４に示すように、正面略正方形をなす正面板５１の左右両側縁から、側板５２が奥側に直角曲げされ、さらに両側板５２の奥縁から、取付板５３が互いに突き合う向きに直角曲げされている。正面板５１には、横長のスリット状をなす通孔５５が、例えば左右２列縦５段にわたって開口されている。正面板５１の上下両縁部と、左右の側板５２の各上下両縁部には、裏側に二重に折り重ねられた補強部５６が形成されている。
【００１５】
ダクト５０は、奥壁１１Ｂの中央部に配された２本の棚柱４０の上端部を跨ぐようにして取り付けられるようになっている。以下、上記の２本の棚柱４０をダクト取付用の棚柱４０Ａとして区別して称する場合がある。ダクト５０は、２本のダクト取付用の棚柱４０Ａの間隔よりも所定寸法大きい横幅を有しているとともに、同横幅とほぼ同寸法の高さを有しており、また各棚柱４０の幅と同程度の奥行寸法を有している。  
ダクト５０はまた、上記したように吹出口２４の直下位置から最上段の棚網３０の少し上方位置に亘って装着されるようになっており、両取付板５３は、各棚柱４０Ａの裏側に揃って重ねることができるような屈曲長さを有している。
【００１６】
ダクト５０の両取付板５３の下端部には、両取付板５３が対応する棚柱４０Ａの裏側に揃って重ねられた場合に、各棚柱４０Ａに開口されたねじ４２の挿通孔４３と整合する取付孔５８が開口されている。また、正面板５１の左右下側の隅部における上記した取付孔５８と同軸上には、ねじ４２のねじ込み操作を行うためのドライバ（図示せず）を挿通可能な操作用孔５９が開口されている。
【００１７】
続いて、本実施形態の作用を説明する。  
工場出荷時からダクト５０を装着する場合は、棚柱４０を所定の壁面に当てたのち挿通孔４３にねじ４２を通して締め付けることで固定する際、奥壁１１Ｂにおける中央部の２本の棚柱４０Ａについては、図２に示すように、両棚柱４０Ａの上端部に亘ってダクト５０を跨ぐように嵌めた状態で奥壁１１Ｂの所定位置に当て、併せてダクト５０の両取付板５３を、取付孔５８が挿通孔４３と整合するように位置合わせして各棚柱４０Ａの裏側に重ねる。
【００１８】
両棚柱４０Ａについて、一番上を除いた各挿通孔４３には、そのままねじ４２を通して締め付ける。ダクト５０の取付箇所については、ねじ４２をダクト５０の正面板５１に開口された操作用孔５９を通し、さらに棚柱４０Ａの一番上の挿通孔４３から取付板５３の取付孔５８に通して奥壁１１Ｂに設けられたねじ孔に螺合し、同じく操作用孔５９から挿入したドライバで同ねじ４２をねじ孔にねじ込むことによって、ダクト５０の両取付板５３並びに両棚柱４０Ａの上端部が奥壁１１Ｂに対して固定されることになる。このとき、ダクト５０の上端は、冷却器室２２の底面における奥側に設けられた吹出口２４の直下に位置するようになる。
【００１９】
一方、棚網３０は、図１に示すように、左右に２枚並んだ形態で４段に亘って適宜間隔を開けて装着され、例えば最上段の棚網３０が、ダクト５０の下端の少し下方に来る位置に装着される。これにより言い換えると、ダクト５０は、奥壁１１Ｂの上端部において、吹出口２４の直下位置から最上段の棚網３０の少し上方位置に亘って装着された形態となる。そしてダクト５０の内側に、吹出口２４から吹き出された冷気を流通させる上下方向の流通路が確保される。
【００２０】
冷蔵庫の稼働時は、棚網３０に被冷却物を載せてこれを冷蔵するのであるが、例えば、最上段の棚網３０に載せられた被冷却物、特に上側に載せられた被冷却物Ｘが、棚網３０の奥縁のストッパ部３３に当たることなく奥壁１１Ｂに向けて押し込まれた場合にも、図１に示すように、同被冷却物Ｘがダクト５０の正面板５１に当たることによって押し込みが規制され、吹出口２４が塞がれることが回避される。
【００２１】
したがって、冷凍装置１７（圧縮機１８）と庫内ファン２７とが駆動される冷却運転が実行されると、図１の矢線に示すように、冷却器２６で熱交換されて生成された冷気は、吹出口２４から吹き出されて引き続きダクト５０内を流下しつつ奥壁１１Ｂに沿うように流れ、そののち冷蔵室１１内を前面側に吹き抜けつつ吸込口２３から吸い込まれるといった循環流が生じ、これにより被冷却物が冷却保存される。なお、ダクト５０の正面板５１の通孔５５が開放されている場合は、同通孔５５から冷気の一部が吹き出される。
【００２２】
また、当該冷蔵庫が客先において使用されている途中で、ダクト５０をいわゆる後付けにより取り付ける場合は、以下のようにして行う。まず棚網３０を外したのち、奥壁１１Ｂの中央部の２本の棚柱４０Ａをねじ４２を緩めて一旦外す。そして、両棚柱４０Ａの上端部に亘ってダクト５０を跨ぐように嵌めた状態で奥壁１１Ｂの所定位置に当て、外したねじ４２を用いて、上記したと同様の手順によって、両棚柱４０Ａとダクト５０とが奥壁１１Ｂの所定位置に対して固定される。
【００２３】
しかるのち棚網３０を再度装着すると、図１に示すように、ダクト５０は、奥壁１１Ｂの上端部において、吹出口２４の直下位置から最上段の棚網３０の少し上方位置に亘って装着された形態となる。その後の冷却運転時の作用については、上記に説明したと同様である。
【００２４】
以上のように本実施形態によれば、最上段の棚網３０に載せられた被冷却物Ｘが冷蔵室１１の奥壁１１Ｂに向けて押し込まれた場合に、ダクト５０に当たって押し込みが規制されることで冷気の吹出口２４が塞がれることが回避され、同吹出口２４から吹き出された冷気がダクト５０内を流通しつつ冷蔵室１１内に循環流通される。被冷却物の収容形態にさほど気を遣わなくても冷気のスムーズな循環流通が担保でき、良好に冷却することができる。
【００２５】
ダクト５０を取り付ける場合は、取付孔５８を挿通孔４３に整合させつつ両取付板５３を対応する棚柱４０Ａの裏側に重ね、挿通孔４３と取付孔５８に通したねじ４２を奥壁１１Ｂのねじ孔に螺合して正面板５１の操作用孔５９に通したドライバでねじ込むことで固定される。ダクト５０は棚柱４０Ａを固定するねじ４２で共締めして固定するようにしたから、別途をねじ孔を設ける必要が無く、既設のものに簡単に追加して取り付けることができる。ダクト５０は、２本の棚柱４０Ａに亘って固定されているから、安定して取り付けることができる。  
また、ダクト５０自体は、一枚の金属板を曲げ加工と孔開け加工するだけで形成できるから、安価に対応することができる。
【００２６】
＜実施形態２＞
次に、本発明の実施形態２を図５及び図６によって説明する。実施形態２では、ダクトの形状に変更が加えられている。  
実施形態２のダクト６０は、共に金属板を扁平なチャンネル形に曲げ形成した正面板６１と背面板６２とからなり、それぞれの側板６１Ａ，６２Ａを重ねてスポット溶接等で固定することにより、全体としては、上下方向に貫通した扁平な角筒形に形成されている。
【００２７】
ダクト６０の正面板６１における上側の２／３程度の領域には、横長のスリット状をなす通孔６３が、例えば左右４列縦４段にわたって開口されている。背面板６２の下端縁の中央部には、奥壁１１Ｂの中央部に配されたダクト取付用の２本の棚柱４０Ａに設けられた各挿通孔４３の間隔と等しい間隔を開けて、２個の取付孔６５が開口されているとともに、正面板６１の下端縁における上記した両取付孔６５と同軸上には、ねじ４２のねじ込み操作を行うためのドライバを挿通可能な２個の操作用孔６６が開口されている。
【００２８】
ダクト６０は、ダクト取付用の両棚柱４０の上端部に嵌められて、背面板６２が両棚柱４０Ａの上端部の裏側に重ねられた状態で奥壁１１Ｂに当てられ、両取付孔６５が棚柱４０Ａの挿通孔４３に合わせられる。取り付けに当たっては、上記したと同様に、ねじ４２を挿通孔４３と取付孔６５に通して奥壁１１Ｂに設けられたねじ孔に螺合し、操作用孔６６から挿入したドライバで同ねじ４２をねじ孔にねじ込むことによって、ダクト６０の背面板６２並びに両棚柱４０Ａの上端部が奥壁１１Ｂに対して固定される。同様にダクト６０は、奥壁１１Ｂの上端部において、吹出口２４の直下位置から最上段の棚網３０の少し上方位置に亘って装着することができる。
【００２９】
＜他の実施形態＞
本発明は上記記述及び図面によって説明した実施形態に限定されるものではなく、例えば次のような実施形態も本発明の技術的範囲に含まれる。  
（１）ダクトの幅は、例えば吹出口の幅等の条件に応じて任意に設定することができる。  
（２）実施形態１のダクトにおいて、吹出口の幅や、ダクト取付用の一対の棚柱の間隔等の条件によっては、両取付板が外側に向けて直角曲げされて形成されていてもよい。その場合は、正面板に対してドライバを挿通する操作用孔を開口することは不要にできる。
【００３０】
（３）冷気の循環方向としては、上記実施形態とは逆に、断熱扉の裏面に沿うように吹き出されて後方に吹き抜けたのち庫内の奥壁に沿って立ち上るように循環供給されるものであってもよい。その場合は、ダクトの上方に庫内空気の吸込口が位置することになるが、同ダクトを設けることで吸込口が被冷却物で塞がれることが回避され、ひいては冷気のスムーズな循環流通が担保される。  
（４）また、冷気が冷蔵室を横切る方向（左右方向）に循環流通する形式のものにも、同様に適用することができる。  
（５）本発明は、上記実施形態に例示した冷蔵庫に限らず、冷凍庫、冷蔵冷凍庫、冷蔵ショーケース等、要は貯蔵庫本体の天井部に冷却器と庫内ファンとを備えた冷却器室が設けられて、同冷却器室から冷気が庫内に循環供給される形式の冷却貯蔵庫全般に広く適用することができる。
【符号の説明】
【００３１】
１０…冷蔵庫本体（貯蔵庫本体）  １１…冷蔵室  １１Ａ…前面開口部  １１Ｂ…奥壁  １１Ｃ…側壁  １５…断熱扉  ２２…冷却器室  ２３…吸込口（通気口）  ２４…吹出口（通気口）  ２６…冷却器  ２７…庫内ファン  ３０…棚網  ４０…棚柱  ４２…ねじ  ４３…挿通孔  ４５…棚受金  ５０…ダクト  ５１…正面板  ５２…側板  ５３…取付板  ５８…取付孔  ５９…操作用孔  ６０…ダクト  Ｘ…被冷却物
【図１】
2012225526.tif 000003
【図２】
2012225526.tif 000004
【図３】
2012225526.tif 000005
【図４】
2012225526.tif 000006
【図５】
2012225526.tif 000007
【図６】
2012225526.tif 000008